(57)【要約】【課題】  水波紋状の干渉現象を解決可能なディスプレイ用照明光源周波数制御システムを提供する。【解決手段】  本発明のディスプレイ用照明光源周波数制御システム３０は、駆動制御装置３１と照明光源周波数制御装置３２を有する。駆動制御装置３１は、少なくとも２種類の駆動モードから駆動モードを選択する駆動モードセレクタ３１１を備える。選択された駆動モードに従って、駆動モードセレクタ３１１は少なくとも１つの対応する周波数制御信号を出力する。その周波数制御信号に従って、照明光源周波数制御装置３２は少なくとも１つの対応する照明光源周波数を取得する。様々な駆動モードに従って、照明光源周波数制御システム３０は対応する照明光源周波数を取得する。すなわち、照明光源周波数を駆動モードと一致する周波数に調整することが可能である。そのため、照明光源周波数は水波紋状の干渉現象なく、周波数領域で調整可能である。【選択図】      図３
2005338786.tif 000002
【特許請求の範囲】
【請求項１】
少なくとも２種類の駆動モードから駆動モードを選択し、該選択された駆動モードに従って少なくとも一つの対応する周波数制御信号を出力する駆動モードセレクタを備える駆動制御装置と、
前記周波数制御信号に従って少なくとも一つの対応する照明光源周波数を取得するための照明光源周波数制御装置と、
を有することを特徴とするディスプレイ用照明光源周波数制御システム。
【請求項２】
動作周波数として前記照明光源周波数に基づいて直流電流を交流電流に変換するコンバータをさらに有する、請求項１に記載のディスプレイ用照明光源周波数制御システム。
【請求項３】
前記照明光源周波数制御装置は、前記周波数制御信号に従って少なくとも一つの対応する照明光源周波数を取得するための対応表を備える、請求項１に記載のディスプレイ用照明光源周波数制御システム。
【請求項４】
前記駆動モードは、ドット反転モード及びライン反転モードである、請求項１に記載のディスプレイ用照明光源周波数制御システム。
【請求項５】
前記ドット反転モードに対応する前記周波数制御信号は高レベル信号であり、且つ前記ライン反転モードに対応する前記周波数制御信号は低レベル信号である、請求項４に記載のディスプレイ用照明光源周波数制御システム。
【請求項６】
前記ドット反転モードに対応する前記照明光源周波数は４４±３ＫＨｚであり、且つ前記ライン反転モードに対応する前記照明光源周波数は３３±３ＫＨｚである、請求項４に記載のディスプレイ用照明光源周波数制御システム。
【請求項７】
前記照明光源周波数制御装置は、照明光源電流を安定化するために該照明光源電流を補償するためのフィードバック回路をさらに有する、請求項１に記載のディスプレイ用照明光源周波数制御システム。
【請求項８】
（ａ）少なくとも２種類の駆動モードから駆動モードを選択するステップと、
（ｂ）前記選択された駆動モードに従って、少なくとも一つの対応する周波数制御信号を出力するステップと、
（ｃ）前記周波数制御信号に従って、少なくとも一つの対応する照明光源周波数を取得するステップと、
を含むことを特徴とするディスプレイ用照明光源周波数制御方法。
【請求項９】
前記照明光源周波数に従って、直流電流を交流電流に変換する変換ステップをさらに含む、請求項８に記載の方法。
【請求項１０】
照明光源電流を安定化するために、該照明光源電流を補償するフィードバックステップをさらに含む、請求項８に記載の方法。
【発明の詳細な説明】
【技術分野】
【０００１】
本発明は、周波数制御システム及びその制御方法に関するものであり、特にディスプレイ用照明光源周波数制御システム及びディスプレイ用照明光源周波数制御方法に関する。
【背景技術】
【０００２】
図１を参照すると、ディスプレイ（液晶ディスプレイ等）の従来の照明光源１１において、コンバータ１２によって直流（ＤＣ）が交流（ＡＣ）に変換され、所望の電力がその照明光源に供給される。そのディスプレイのディスプレイパネル１５は、表示するための駆動装置１６で駆動される。従来の駆動装置１６の駆動モードでは、ドット反転モードやライン反転モード等の様々なモードを含む。各駆動モードは異なる駆動方法及び走査周波数を備えている。
【０００３】
よく知られているように、水波紋状の干渉現象がコンバータの動作周波数及び走査周波数の相互作用によって引き起こされ得る。従来、その水波紋状の干渉現象に対する３通りの解決策が有り、その１番目の解決策は、インジウム−酸化スズ（ＩＴＯ）層で電磁波干渉を遮断するものであり、２番目の解決策は、水平走査周波数に同期する動作周波数を備えるコンバータを採用するものであり、３番目の解決策は、相反する極性の２つの隣接した照明光源を用いて電場の干渉強度を相殺して水波紋状の干渉現象を軽減するものである。
【０００４】
しかしながら、第１の解決策は高コストであり、またＩＴＯ層は品質の問題によって青白くなり、色調の違いを生じさせる。第２の解決策では、水平走査周波数は正確に固定されなければならず、どんな変化も直ちに水波紋状の干渉現象を生じさせ得る。第３の解決策は、ただ水波紋状の干渉現象を軽減するだけであり、水波紋状の干渉現象を完全に消し去るだけの能力を有さない。
【０００５】
さらに、従来の駆動装置１６は、少なくとも２種類の駆動モード（例えばドット反転モード及びライン反転モード）間で切り替えて制御される可能性がある。しかしながら、駆動モードを切り替える条件下では、コンバータの動作周波数を正確に一致させるために水平走査周波数を固定することは不可能である。そのため、少なくとも２種類の駆動モードを有する駆動装置を備えるディスプレイでは、第２の解決策を水波紋状の干渉現象を解決するために採用することはできない。
【０００６】
このように、上述した問題を解決する、革新的で進歩したディスプレイ用照明光源周波数制御システム及びディスプレイ用照明光源周波数制御方法を提供することが望まれている。
【発明の開示】
【発明が解決しようとする課題】
【０００７】
本発明の目的は、駆動制御装置及び照明光源制御装置を有する、ディスプレイ用照明光源周波数制御システムを提供することにある。
【課題を解決するための手段】
【０００８】
駆動制御装置は、少なくとも２種類の駆動モードから駆動モードを選択するための駆動モードセレクタを備える。選択された駆動モードに従って、駆動モードセレクタは少なくとも一つの対応する周波数制御信号を出力する。その対応する周波数制御信号に従って、照明光源周波数制御装置は、少なくとも一つの対応する照明光源周波数を取得する。
【０００９】
様々な駆動モードに従って、本発明の照明光源周波数制御システムは対応する照明光源周波数を取得する。つまり、照明光源周波数を駆動モードと一致させるように調整することが可能である。そのため、照明光源周波数は水波紋状の干渉現象のない周波数領域で調整することが可能である。したがって、本発明によるディスプレイ用照明光源周波数制御システムによって水波紋状の干渉現象を解決することができる。
【発明を実施するための最良の形態】
【００１０】
図２（ａ）及び図２（ｂ）に、水波紋状の干渉周波数スペクトルの解析結果を示す。図２（ａ）は、ドット反転モードにおける水波紋状の干渉周波数スペクトルの解析結果を示し、ここでは４１ＫＨｚから４８．５ＫＨｚの間で水波紋状の干渉のないことがわかる。図２(ｂ)は、ライン反転モードにおける水波紋状の干渉周波数スペクトルの解析結果を示し、ここでは２９．５ＫＨｚから３６．５ＫＨｚの間で水波紋状の干渉のないことがわかる。
【００１１】
図３は、本発明に係るディスプレイ用照明光源周波数制御システム３０の概略図を示す。本発明に係るディスプレイ用照明光源周波数制御システム３０は、駆動制御装置３１及び照明光源周波数制御装置３２を有する。駆動制御装置３１は、少なくとも２種類の駆動モードから駆動モードを選択するための駆動モードセレクタ３１１を備える。選択された駆動モードに従って、駆動モードセレクタは少なくとも一つの対応する周波数制御信号３１２を出力する。
【００１２】
駆動制御装置３１の駆動モードは、ドット反転モード、ライン反転モード、及びその他の駆動モードであってもよい。本実施態様においては、ドット反転モード及びライン反転モードを説明のために使用する。駆動モードセレクタ３１１は、ドット反転モード又はライン反転モードを選択する。駆動モードセレクタ３１１が駆動モードとしてドット反転を選択した後、周波数制御信号３１２は高レベル（Ｈ）と設定される。また駆動モードセレクタ３１１が駆動モードとしてライン反転を選択した後、周波数制御信号３１２は低レベル（Ｌ）と設定される。
【００１３】
また駆動モードセレクタ３１１が駆動モードとしてドット反転を選択した後、ディスプレイのディスプレイパネル３３は駆動制御装置３１のドット反転ドライバ３１３で駆動され、駆動モードセレクタ３１１が駆動モードとしてライン反転を選択した後、ディスプレイのディスプレイパネル３３は駆動制御装置３１のライン反転ドライバ３１４で駆動される。
【００１４】
照明光源制御装置３２は、周波数制御信号３１２を受信し、周波数制御信号３１２に従って少なくとも一つの対応する照明光源周波数を取得する。本実施態様においては、照明光源周波数制御装置３２は、対応する照明光源周波数を取得するために対応表３２１を利用する。そのため、対応表３２１が高レベルで周波数制御信号３１２を受信した場合、駆動モードセレクタ３１１は駆動モードとしてドット反転を選択していることを示し、照明光源周波数は４４±３ＫＨｚの範囲内の周波数にセットされる（図２（ａ）に示されるように、その周波数範囲では水波紋状の干渉現象は見られない）。また対応表３２１が低レベルで周波数制御信号３１２を受信した場合、駆動モードセレクタ３１１は駆動モードとしてライン反転を選択していることを示し、照明光源周波数は３３±３ＫＨｚの範囲内の周波数にセットされる（図２（ｂ）に示されるように、その周波数範囲では水波紋状の干渉現象は見られない）。
【００１５】
対応表３２１から取得された照明光源周波数は、照明光源周波数制御装置３２のコンバータ３２２に対する出力となる。コンバータ３２２は、所望の電力を照明光源３４に供給するために、動作周波数として、照明光源周波数に基づいて直流−交流（ＤＣ−ｔｏ−ＡＣ）変換を実行する。
【００１６】
コンバータ３２２の動作周波数を駆動モードと一致させるように相応して調整可能であるため、駆動制御装置３１がドット反転モード若しくはライン反転モードの何れを選択したかにかかわらず、コンバータ３２２の動作周波数は水波紋状の干渉現象のない周波数へ切り替えることが可能である。そのような動作周波数下では、ディスプレイに水波紋状の干渉現象は発生しない。
【００１７】
照明光源３４の電流を安定化するために、本発明に係るディスプレイ用照明光源周波数制御システム３０は、さらに照明光源電流を補償するためのフィードバック回路３５を有し、異なる動作周波数間で切り替えが行われている間、照明光源３４の電流を安定化することが可能である。
【００１８】
上述してきた、本発明の特定の実施態様は、ただ説明を目的とするものであり、本発明の範囲を限定するものではない。様々な修正、変更及びバリエーションがここで開示された発明から、本発明の目的及び範囲を逸脱することなく当業者によって創作され得る。本発明の範囲は、添付の特許請求の範囲で定義される。
【図面の簡単な説明】
【００１９】
【図１】従来のディスプレイ照明光源周波数制御及び駆動制御ディスプレイパネルの概略図である。
【図２】（ａ）はドット反転モードにおける水波紋状の干渉周波数スペクトルの解析結果であり、（ｂ）はライン反転モードにおける水波紋状の干渉周波数スペクトルの解析結果である。
【図３】本発明に係るディスプレイ用照明光源周波数制御システムの概略図である。
【符号の説明】
【００２０】
１１    照明光源
１２    コンバータ
１５    ディスプレイパネル
１６    駆動装置
３０    ディスプレイ用照明光源周波数制御システム
３１    駆動制御装置
３２    照明光源周波数制御装置
３３    ディスプレイパネル
３４    照明光源
３５    フィードバック回路
３１１    駆動モードセレクタ
３１２    周波数制御信号
３１３    ドット反転ドライバ
３１４    ライン反転ドライバ
３２１    対応表
３２１    コンバータ
【図１】
2005338786.tif 000003
【図２】
2005338786.tif 000004
【図３】
2005338786.tif 000005
【外国語明細書】
2005338786000001.pdf